(57)【特許請求の範囲】
【請求項１】
繊維強化樹脂製の管体と該管体の開口部を閉塞する閉塞蓋とで構成され容器内圧力２ＭＰａ以下で使用される圧力容器であって、前記閉塞蓋の外周面に環状の蓋側嵌合溝が設けられ、この閉塞蓋の外周面と対向する前記管体の内周面には前記蓋側嵌合溝と対向する環状の管体側嵌合溝が設けられ、前記蓋側嵌合溝に嵌合し且つ前記管体側嵌合溝に弾性により係止する縮径可能な弾性部材から成る止め輪を有し、前記閉塞蓋の前記蓋側嵌合溝の管体外方側には位置決め凸部が設けられ、この位置決め凸部は、前記閉塞蓋を前記管体に前記位置決め凸部が管体端面に突き当たるまで挿入することで前記両嵌合溝が一致するように構成されており、前記閉塞蓋の外周面には、前記止め輪の管体内方側にして前記閉塞蓋の外周面と前記管体の内周面との間隙を封止する環状の内方側シール部材が配設される内方側シール部材配設溝が設けられ、前記管体側嵌合溝の管体内方側の角部はテーパ形状若しくはＲ形状に設定され、前記管体は該管体の軸心方向に対して繊維を±４０°〜６０°に配向したヘリカル層を有し、このヘリカル層は２０重量％〜３０重量％でエポキシ樹脂が含浸された樹脂含浸層であることを特徴とする圧力容器。
【請求項２】
請求項１記載の圧力容器において、前記閉塞蓋は前記止め輪により前記管体に抜け止め固定されていることを特徴とする圧力容器。
【請求項３】
請求項１，２いずれか１項に記載の圧力容器において、前記止め輪は切れ目を有し、この切れ目を閉じる方向に縮径可能なＣ字形の環体であることを特徴とする圧力容器。
【請求項４】
請求項１〜３いずれか１項に記載の圧力容器において、前記閉塞蓋の外周面に前記内方側シール部材配設溝が複数並設状態に設けられていることを特徴とする圧力容器。
【請求項５】
請求項１〜３いずれか１項に記載の圧力容器において、前記止め輪の管体外方側にして前記閉塞蓋の外周面と前記管体の内周面との間隙を封止する環状の外方側シール部材が配設される外方側シール部材配設溝が設けられていることを特徴とする圧力容器。
【請求項６】
請求項１〜５いずれか１項に記載の圧力容器において、前記テーパ形状は異なる傾斜角度のテーパ面が連設された形状であることを特徴とする圧力容器。
【請求項７】
請求項１〜６いずれか１項に記載の圧力容器において、前記閉塞蓋は熱可塑性樹脂製であることを特徴とする圧力容器。
【請求項８】
請求項１〜７いずれか１項に記載の圧力容器において、この圧力容器は、医療用純水製造装置に用いられるものであることを特徴とする圧力容器。
【発明の詳細な説明】
【技術分野】
【０００１】
本発明は、圧力容器に関するものである。
【背景技術】
【０００２】
繊維強化樹脂（ＦＲＰ）製の圧力容器は、特許文献１に開示されるようなＲＯ（Reverse Osmosis：逆浸透）を利用し６〜８ＭＰａで運転する海水淡水化の分野に留まらず、近年、より低圧の半導体用純水製造の分野（１．６〜２ＭＰａ）、医療用透析分野（１〜２ＭＰａ）、ＮＦ（Nano Filtration：ナノろ過）やＵＦ（Ultra Filtration：限外ろ過)による水処理分野（０．７〜１．５ＭＰａ）、ビールや炭酸飲料水製造の分野（０．４〜０．６ＭＰａ）等、多岐に渡って利用されている。
【０００３】
管体と該管体の開口部を閉塞する閉塞機構を有するＦＲＰ製圧力容器の製造においては、その形状が管状であることと圧力（内圧）を保持する観点から、管体の製造には、繊維角度によって最適な圧力設計ができるフィラメントワインディング成形（ＦＷ）法が用いられている。
【０００４】
ＦＷ法には、以下の２つがある。
Ａ）横断面が円形のマンドレルと呼ばれる軸心にエポキシ樹脂を含浸させたガラス繊維や
カーボン繊維を巻きつけ、樹脂を加熱して硬化後、マンドレルを脱芯して圧力容器にす
る方法
Ｂ）あらかじめソーセージ形状（管体両端の内径がすぼまっている形状）や円筒状のイン
ナーライナー（例えば、ポリプレピレンやポリエーテルスルフォンなどの熱可塑性樹脂
によるインナーライナー）に、エポキシ樹脂を含浸させたガラス繊維やカーボン繊維を
巻きつけて、その後、樹脂を加熱し硬化させ、インナーライナーを脱芯せずそのまま圧
力容器にする方法
【０００５】
上記Ａ）の方法は、主に半導体用純水製造の分野、医療用透析分野及び水処理分野用の圧力容器を製造する際に用いられ、上記Ｂ）の方法は、主にビールや炭酸飲料水製造の分野用の圧力容器を製造する際に用いられている。
【０００６】
ところで、上記Ａ）の方法では、製造されるＦＲＰ成形品（管体）は、両端が開口したものとなる。また、上記Ｂ）の方法では、製造されるＦＲＰ成形品（管体）は、両端若しくは一端が開口したものとなる。
【０００７】
この管体の開口部は、低圧（２ＭＰａ以下）の圧力といえども、内圧がかかってくるため、圧力に耐えられるように閉塞する必要がある。なお、上記Ａ）の方法で製造される管体では、内部にＲＯ膜、ＮＦ膜、ＵＦ膜を装填するために、また、上記Ｂ）の方法で製造される管体では、内部に炭酸飲料の原水や原料を入れるために、通常、開閉可能に閉塞される。
【０００８】
また、圧力容器として用いるためには、上記Ａ）、Ｂ）どちらの製法の場合も内圧の漏れ（水漏れ）を防止するため、シール部材（例えば、Ｏリング）を用いる必要がある。
【０００９】
そのため、管体の開口部を閉塞する閉塞機構は、１）圧力を保持するための蓋（エンドプレート）とこの蓋と管体とを締結する機構（例えば、蓋とは別体のリテイナーリングやスパイラルリングによる締結機構。特許文献１の図４，５等参照）、２）内圧の漏れを防ぐためのシール機構の２つを兼ね備えている。
【先行技術文献】
【特許文献】
【００１０】
【特許文献１】特開２０１３−１１７２５０号公報
【発明の概要】
【発明が解決しようとする課題】
【００１１】
上述したような閉塞機構により管体の開口部を閉塞する際には、例えばシール部材を被嵌した蓋を管体内に管体軸方向に対して直角となるように、また、シール部材が捩れたり破損したりしないように、蓋を少しずつ管体内に挿入しながら適切に位置決めし、蓋とは別体のリテイナーリングやスパイラルリングを用いて管体に正しく取り付ける作業を必要とする。
【００１２】
しかしながら、この蓋の取り付け作業は、特殊な組立技能とリテイナーリング等をボルトで管体に固定するための特殊な工具を必要とし、また、シール部材がずれたり蓋が管体内方側若しくは外方側に傾かないように綿密な位置調整が必要である等、作業者個人の技量に依存するところが大きく、経験を積んだ熟練者でなれければ容易になし得ない厄介な作業である。
【００１３】
本発明は、上述のような現状に鑑みなされたもので、シール部材及び止め輪を被嵌した閉塞蓋を管体内に挿入するだけで簡単に閉塞蓋を取り付けることができ、しかも、シール部材を取り付け時に破損等させることなく確実に適正位置に配置できる実用的な圧力容器を提供するものである。
【課題を解決するための手段】
【００１４】
添付図面を参照して本発明の要旨を説明する。
【００１５】
繊維強化樹脂製の管体１と該管体１の開口部を閉塞する閉塞蓋２とで構成され容器内圧力２ＭＰａ以下で使用される圧力容器であって、前記閉塞蓋２の外周面に環状の蓋側嵌合溝３が設けられ、この閉塞蓋２の外周面と対向する前記管体１の内周面には前記蓋側嵌合溝３と対向する環状の管体側嵌合溝４が設けられ、前記蓋側嵌合溝３に嵌合し且つ前記管体側嵌合溝４に弾性により係止する縮径可能な弾性部材から成る止め輪５を有し、前記閉塞蓋２の前記蓋側嵌合溝３の管体外方側には位置決め凸部９が設けられ、この位置決め凸部９は、前記閉塞蓋２を前記管体１に前記位置決め凸部９が管体端面に突き当たるまで挿入することで前記両嵌合溝３，４が一致するように構成されており、前記閉塞蓋２の外周面には、前記止め輪５の管体内方側にして前記閉塞蓋２の外周面と前記管体１の内周面との間隙を封止する環状の内方側シール部材６が配設される内方側シール部材配設溝７が設けられ、前記管体側嵌合溝４の管体内方側の角部８はテーパ形状若しくはＲ形状に設定され、前記管体１は該管体１の軸心方向に対して繊維を±４０°〜６０°に配向したヘリカル層を有し、このヘリカル層は２０重量％〜３０重量％でエポキシ樹脂が含浸された樹脂含浸層であることを特徴とする圧力容器に係るものである。
【００１６】
また、請求項１記載の圧力容器において、前記閉塞蓋２は前記止め輪５により前記管体１に抜け止め固定されていることを特徴とする圧力容器に係るものである。
【００１７】
また、請求項１，２いずれか１項に記載の圧力容器において、前記止め輪５は切れ目を有し、この切れ目を閉じる方向に縮径可能なＣ字形の環体であることを特徴とする圧力容器に係るものである。
【００１８】
また、請求項１〜３いずれか１項に記載の圧力容器において、前記閉塞蓋２の外周面に前記内方側シール部材配設溝７が複数並設状態に設けられていることを特徴とする圧力容器に係るものである。
【００１９】
また、請求項１〜３いずれか１項に記載の圧力容器において、前記止め輪５の管体外方側にして前記閉塞蓋２の外周面と前記管体１の内周面との間隙を封止する環状の外方側シール部材10が配設される外方側シール部材配設溝11が設けられていることを特徴とする圧力容器に係るものである。
【００２０】
また、請求項１〜５いずれか１項に記載の圧力容器において、前記テーパ形状は異なる傾斜角度のテーパ面が連設された形状であることを特徴とする圧力容器に係るものである。
【００２１】
また、請求項１〜６いずれか１項に記載の圧力容器において、前記閉塞蓋２は熱可塑性樹脂製であることを特徴とする圧力容器に係るものである。
【００２２】
また、請求項１〜７いずれか１項に記載の圧力容器において、この圧力容器は、医療用純水製造装置に用いられるものであることを特徴とする圧力容器に係るものである。
【発明の効果】
【００２３】
本発明は上述のように構成したから、シール部材及び止め輪を被嵌した閉塞蓋を管体内に挿入するだけで簡単に閉塞蓋を取り付けることができ、しかも、シール部材を取り付け時に破損等させることなく確実に適正位置に配置できる実用的な圧力容器となる。
【図面の簡単な説明】
【００２４】
【図１】本実施例の分解説明斜視図である。
【図２】本実施例の端部の概略説明断面図である。
【図３】本実施例の端部の概略説明断面図である。
【図４】ダブルシール構造を説明する拡大概略説明断面図である。
【図５】ダブルシール構造を説明する拡大概略説明断面図である。
【図６】本実施例の管体側嵌合溝の管体内方側の角部の拡大概略説明断面図である。
【図７】別例の管体側嵌合溝の管体内方側の角部の拡大概略説明断面図である。
【発明を実施するための形態】
【００２５】
好適と考える本発明の実施形態を、図面に基づいて本発明の作用を示して簡単に説明する。
【００２６】
閉塞蓋２の外周面に内方側シール部材６を被嵌し、蓋側嵌合溝３に止め輪５を縮径させつつ嵌合せしめた状態で（図３参照）、管体１の開口部から管体１内に挿入すると、両嵌合溝３，４が一致して止め輪５が自身の弾性により戻り変形し、一部が蓋側嵌合溝３に嵌合しつつ一部が管体側嵌合溝４に弾性により係止した状態となる（図２参照）。これにより、閉塞蓋２が止め輪５により抜け止められ、閉塞蓋２により管体１の開口部が閉塞される。
【００２７】
従って、閉塞蓋２に止め輪５と内方側シール部材６とを被嵌してこれらを同時に管体１内に挿入するだけで閉塞蓋２を管体１に取り付けて開口部を閉塞することができるから、それだけ部品点数を削減してハンドリング性（手扱い性）を向上させることができる。
【００２８】
また、閉塞蓋２が管体１に止め輪５により抜け止め固定されるから、ユーザーが容易に取り外せない態様となるため、管体１の内部部品の交換等が必要となった際には、製造者に交換を依頼するか、内部部品だけでなく管体１及び閉塞蓋２も含めた全体を交換することで対応することになる。そのため、ユーザーによる閉塞蓋２の誤った手法による取り外し及び取り付け等を防止でき、常に設計者の意図した環境で使用することが可能となる。
【００２９】
更に、例えば、前記閉塞蓋２の前記蓋側嵌合溝３の管体外方側に位置決め凸部９を設け、この位置決め凸部９を、前記閉塞蓋２を前記管体１に前記位置決め凸部９が管体端面に突き当たるまで挿入することで前記両嵌合溝３，４が一致するように構成した場合には、単に位置決め凸部９が突き当たるまで閉塞部２を管体１内に挿入するだけで確実に閉塞蓋２を管体１に取り付けることができ、閉塞蓋取り付け時に特殊な取付技能や特殊な工具を必要とすることがない。
【００３０】
また、閉塞蓋２に被嵌される内方側シール部材６は、管体側嵌合溝４を乗り越えて管体側嵌合溝４の管体内方側へと移動することになるが、管体側嵌合溝４の管体内方側の角部８をテーパ形状若しくはＲ形状とすることで、この角部８に内方側シール部材６が引っ掛かり難くなり、内方側シール部材６をスムーズに管体側嵌合溝４を乗り越えさせて管体側嵌合溝４の管体内方側へと移動させることができる。
【００３１】
従って、内方側シール部材６が管体側嵌合溝４の角部８に引っ掛かり破損したり捩れたりすることが防止され、内方側シール部材６の破損等が原因による内圧漏れを防止でき、更に、閉塞蓋２の挿入が容易となり、内方側シール部材６を適正位置に確実に配置することが可能となる。
【００３２】
また、管体１をエポキシ樹脂を所定量含有させたヘリカル層で構成することで、耐圧性及び耐久性に秀れた容器となる。
【実施例】
【００３３】
本発明の具体的な実施例について図面に基づいて説明する。
【００３４】
本実施例は、繊維強化樹脂製の管体１と該管体１の開口部を閉塞する閉塞蓋２とで構成された容器内圧力２ＭＰａ以下で使用される圧力容器であって、前記閉塞蓋２の外周面に環状の蓋側嵌合溝３が設けられ、この閉塞蓋２の外周面と対向する前記管体１の内周面には前記蓋側嵌合溝３と対向する環状の管体側嵌合溝４が設けられ、前記蓋側嵌合溝３に嵌合し且つ前記管体側嵌合溝４に弾性により係止する縮径可能な弾性部材から成る止め輪５を有し、前記閉塞蓋２の外周面には、前記止め輪５の管体内方側にして前記閉塞蓋２の外周面と前記管体１の内周面との間隙を封止する環状の内方側シール部材６が配設される内方側シール部材配設溝７が設けられ、前記管体側嵌合溝４の管体内方側の角部８はテーパ形状若しくはＲ形状に設定され、前記管体１は該管体１の軸心方向に対して繊維を±４０°〜６０°に配向したヘリカル層を有し、このヘリカル層は２０重量％〜３０重量％でエポキシ樹脂が含浸された樹脂含浸層としたものである。
【００３５】
具体的には、本実施例は、管体１内にＲＯメンブレン等が装填され医療用純水製造装置に用いられるものである。
【００３６】
本実施例の管体１は、公知のフィラメントワインディング法により、エポキシ樹脂とこれらの硬化剤を含む樹脂を含浸したガラス繊維を円筒状のマンドレルに該マンドレルの軸心方向（管体１の軸心方向）に対して±４０°〜６０°の傾斜角度で連続的に必要量を巻回し、エポキシ樹脂を加熱硬化させ、続いて、マンドレルを脱型することで形成される円筒状のものである。
【００３７】
従って、管体１は、管体１の軸心方向に対して繊維を±４０°〜６０°に配向したヘリカル層により構成される。また、上記巻回の際には、ヘリカル層のエポキシ樹脂の含有率が２０重量％〜３０重量％となるように繊維にエポキシ樹脂が含浸される。なお、管体１の繊維としてはガラス繊維に限らず、炭素繊維等、他の繊維を採用しても良い。
【００３８】
図１〜３に図示したように、管体１の両端部の内周面には、夫々環状の管体側嵌合溝４が形成されている。
【００３９】
管体１の両端開口部を夫々閉塞する閉塞蓋２の外周面には、管体側嵌合溝４と対向する環状の蓋側嵌合溝３が形成されている。この閉塞蓋２は管体１の内周より若干径小な円板体であり、熱可塑性樹脂（熱可塑性プラスチック）製である。また、両嵌合溝３，４は夫々、止め輪５と略同幅か若しくは止め輪５より僅かに幅広となるように形成する。なお、図中、符号12は外部配管との接続孔である。
【００４０】
また、閉塞蓋２の外周面には、止め輪５の管体内方側にして閉塞蓋２の外周面と管体１の内周面との間隙を封止する環状の内方側シール部材（Ｏリング）６が配設される内方側シール部材配設溝７が設けられている。即ち、閉塞蓋２の外周面には、蓋側嵌合溝３とシール部材配設溝７とが並設されている。
【００４１】
なお、更にシール性を高めるべく、シール部材を複数並設する構成としても良い。例えば、図４に図示したように、閉塞蓋２の外周面に内方側シール部材配設溝７を複数並設状態に設ける構成としても良いし、図５に図示したように、前記止め輪５の管体外方側にして前記閉塞蓋２の外周面と前記管体１の内周面との間隙を封止する環状の外方側シール部材10が配設される外方側シール部材配設溝11を更に設ける構成としても良い（シール部材を２つ並設する所謂ダブルシール構造）。なお、内方側シール部材配設溝７を複数設け、更に外方側シール部材配設溝11を設ける構成としても良い。
【００４２】
即ち、図４，５の構成では、仮に内側のシール部材が管体１に閉塞蓋２を挿入する（押し込む）工程で傷ついてシール性を損ねたとしても、外側のシール部材により気密性が保たれ、水漏れを防ぐことができる。また、外方側シール部材10だけでシールすることで圧力容器として利用することも可能であるが、この場合は管体側嵌合溝４に水の滞留が発生するので、圧力容器の用途によっては適さない場合もある。
【００４３】
また、閉塞蓋２の外周面の蓋側嵌合溝３の管体外方側には位置決め凸部９が設けられ、この位置決め凸部９は、閉塞蓋２を管体１に位置決め凸部９が管体端面に突き当たるまで挿入することで両嵌合溝３，４が一致するように構成されている。
【００４４】
本実施例においては、閉塞蓋２の管体外方側端にフランジ部を設け、このフランジ部を位置決めと凸部９としている。具体的には、フランジ部の管体端面との対向面を、フランジ部を管体端面に当接させた際に閉塞蓋２の軸心と管体１の軸心とが一致するように構成している。即ち、管体端面は管体１の軸心と直角な面となるように構成し、フランジ部の管体端面との対向面は閉塞蓋２の軸心と直角な面となるように構成する。
【００４５】
従って、閉塞蓋２を管体１に挿入する際、位置決め凸部９としてのフランジ部が管体端面に突き当たるまで挿入することで、両嵌合溝３，４を一致させるだけでなく、管体端面と閉塞蓋２のフランジ部の対向面とを全周で当接させ、容易に且つ確実に閉塞蓋２の軸心と管体１の軸心とを一致させることが可能となり、シール部材によるシールを確実に行える構成となる。
【００４６】
また、本実施例においては、管体側嵌合溝４の管体内方側の角部８をテーパ形状に設定している。本実施例では、図６に図示したように、管体１の軸心に対して４５°傾斜するテーパ面で面取りされた形状としている。
【００４７】
なお、異なる傾斜角度のテーパ面を連設したテーパ形状としても良い。例えば、図７に図示した別例のように、角部８を管体１の軸心に対して６０°傾斜する第１のテーパ面と軸心に対して３０°傾斜する第２のテーパ面とで面取りしたダブルテーパ形状としても良い。また、テーパ形状に限らず、角部８を断面視円弧状のＲ形状としても良い。
【００４８】
角部８をテーパ形状とすることで、内方側シール部材６が管体側嵌合溝４の角部８に引っ掛かり破損したり捩れたりすることが防止され、この点からも確実に適正位置に内方側シール部材６を配置して良好にシールすることが可能となる。
【００４９】
即ち、閉塞蓋２を管体１に挿入する際、閉塞蓋２には内方側シール部材６が被嵌されているため、管体側嵌合溝４を内方側シール部材６が通過する際（図３参照）に管体内方側の角部８が内方側シール部材６に接触し、シール部材を傷つける可能性がある。適正な位置に内方側シール部材６を配したとしても、シール部材に傷が付いていると水漏れ（圧力漏れ）の原因となる。これを避けるため、管体側嵌合溝４の管体内方側の角部８をテーパ形状若しくはＲ形状としている。
【００５０】
また、本実施例においては、管体側嵌合溝４に弾性的に係止する止め輪５として、切れ目を有し、この切れ目を閉じる方向に縮径可能なＣ字形の熱可塑性樹脂製の環体（スナップリングと同様な機構の環体）を採用している。なお、この止め輪５は蓋側嵌合溝３内に縮径状態で嵌合配置可能で、両嵌合溝３，４が一致した際に管体側嵌合溝４側に開いて両嵌合溝３，４に係止する形状及び弾性を有していれば、ＦＲＰ製やＦＲＴＰ製等、他の材質としても良い。
【００５１】
以下、本実施例について更に説明する。
【００５２】
圧力容器には背景技術で述べたとおり、２ＭＰａ以下の低圧の分野がある。高圧の分野（例えば６ＭＰａ以上の内圧で用いられる圧力容器、主に海水淡水化向）に用いられる管体の開口部を閉塞する蓋（エンドプレート）は金属、それも錆びに強い耐食性の金属が用いられる。
【００５３】
一方、低圧の分野、特に２ＭＰａ（水処理用の圧力容器の通称で３００ＰＳＩ）以下の圧力容器では、その運転圧力が低いことから、最適な設計を行えば、高強度、高剛性で、所望の形状に機械加工することで高価になる金属ではなく、所望の形状をレイアップ成形や射出成形ができるＦＲＰ（繊維強化プラスチック）、ＦＲＴＰ（繊維強化熱可塑性プラスチック）、あるいはプラスチック（繊維で強化していない熱可塑性プラスチック）を適用できる。レイアップ成形や射出成形で所望の形状を得られれば、金属よりも安価に製作することができる。また、圧力容器は、従来は２ＭＰａレベルの低圧の分野でも、６ＭＰａ以上の高圧の分野でも、多くの場合、耐圧性能を得るために、エンドプレートは金属で、圧力容器とエンドプレートのシール性を確保するためにシール（Ｏリング）を設けるためのシールプレートはＦＲＰやプラスチックでできている。高圧用の圧力容器では金属製のエンドプレートとプラスチックやＦＲＰでできている（Ｏリングが被嵌された）シールプレートの２つの部材を使って圧力容器の管体の閉塞蓋としている。
【００５４】
低圧用の圧力容器では、その運転圧力が低いことから、金属を用いなくても耐圧性能を得ることができ、前述のレイアップ成形や射出成形によってエンドプレートとシールプレートの一体化が容易となり、所望の形状は成形時に型によって得られるので、エンドプレート、シールプレートを別々に製作するよりも安価に製作することができる。
【００５５】
ところで、例えば、ＲＯ（Reverse Osmosis：逆浸透）を利用する水処理用の圧力容器は、その容器内部に装填されたＲＯメンブレンを数年に一度交換しなくてはならない。交換に当たっては開口部を開いて古いＲＯメンブレンを取り出し、その後、新しいＲＯメンブレンを装填し、再び開口部を閉じなくてはならない。
【００５６】
このように圧力容器を交換せずに容器内部に装填されたＲＯメンブレンだけを交換する分野がある一方で、ＲＯメンブレンを含む圧力容器全てを交換するような分野がある。例えば、病院などの純水製造装置はＲＯメンブレン交換のために、長い時間、純水製造の運転を停止するわけにはいかない。この交換の際に、ＲＯメンブレンと圧力容器の全て（一式）を交換すれば、運転を止める時間は極めて短くて済む。また、ＲＯメンブレンを含む圧力容器一式を交換することで、上述したような特殊な組立技能や特殊な工具は不要で、シールのミスアライメントによる内圧漏れ（水漏れ）といったアクシデントやトラブルは発生しない。
【００５７】
また、ユーザー側（例えば上述した例の病院側）から見ると、工場の製造段階でＲＯメンブレンが圧力容器に組み込まれて一体となっていて、さらに工場出荷の段階でＲＯメンブレンの検査や圧力容器の検査が行われることで、設計者、技術者が本来意図したようにＲＯメンブレンや圧力容器が作動する安心が得られる。例えば、従来のようにフィールドエンジニアーやカスタマーサービスが現場である病院で圧力容器から古いＲＯメンブレンを取り出し、従来の圧力容器に新しいＲＯメンブレンを装填した際、閉塞蓋の取り付け等にミスがあると、外見上水漏れがなくても、わずかなシール位置の不適正により起こる水の滞留によって、生成した純水に滞留水が混じって純水の純度を下げたり、滞留が長引けば、ひどいときにはバクテリアが発生したりする可能性がある。滞留水やバクテリアの含んだ水が病院にとって悪影響となるのは明らかである。この点、上述したように工場の出荷段階で検査が行われることで、ユーザーは確実にシールが適正な位置に配置された前記滞留水やバクテリアが発生しない圧力容器を使用することができることになる。
【００５８】
上述の病院の例では、確かに実際の現場である病院では、ＲＯメンブレンが圧力容器に組み込まれて一体となっていることで、圧力容器の開口部を開いたり閉じたりする必要がなくなり、特殊な組立技能や特殊な工具は不要で、シールのミスアライメントによる内圧漏れ（水漏れ）といったアクシデントやトラブルは発生しない。しかしながら、工場出荷段階では、圧力容器にＲＯメンブレンの装填作業が必要である。従って、従来の閉塞蓋を用いる場合には、工場の作業者には、特殊な組立技能や特殊な工具が必要で、シールのミスアライメントによる内圧漏れ（水漏れ）といったアクシデントやトラブルが発生する可能性がある。
【００５９】
本実施例は、上述の事情に鑑み、工場作業者であっても特殊な組立技能や特殊な工具が不要で、シールのミスアライメントによる内圧漏れ（水漏れ）といったアクシデントやトラブルが発生しないエンドプレートとシールプレートとを一体とした閉塞蓋を用いた例である。
【００６０】
具体的には、本実施例では、圧力容器の運転圧力の値から、所望の圧力に耐えうるエンドプレートとシールプレートを一体にして設計する（このエンドプレートとシールプレートとが一体になった管体１の蓋を本実施例では閉塞蓋２と呼ぶ。）。この閉塞蓋２をプラスチックで射出成形する。本実施例ではプラスチックとしているが、これをレイアップ成形や射出成形ができるＦＲＰ（繊維強化プラスチック）、ＦＲＴＰ（繊維強化熱可塑性プラスチック）で製作しても良い。
【００６１】
この閉塞蓋２を管体１に取り付ける際に、適正な位置に閉塞蓋２が配されない場合は、シール部材（Ｏリング）がずれたり偏ったりした状態で管体１とシール部材とが接することになり、水漏れ（圧力漏れ）の原因となる。この閉塞蓋２の取付工程では、閉塞蓋２の軸心と管体１の軸心とが同一線上に配置されること（若しくは、管体１の縦断面において、閉塞蓋２に被嵌されるシール部材と管体１の軸心とが直角に配置されること）で、シール部材が適正に管体内周面に接触し良好なシール性を発揮することができる。本実施例では、上述したフランジ部によりこの点を解決している。
【００６２】
本実施例は上述のように構成したから、閉塞蓋２の外周面に内方側シール部材６を被嵌し、蓋側嵌合溝３に止め輪５を例えば指で縮径させつつ嵌合せしめた状態で（図３参照）、位置決め凸部９が管体端面に突き当たるまで管体１の開口部から管体１内に挿入すると、両嵌合溝３，４が一致して止め輪５が自身の弾性により戻り変形し、一部が蓋側嵌合溝３に嵌合しつつ一部が管体側嵌合溝４に弾性により係止した状態となる（図２参照）。これにより、閉塞蓋２が止め輪５により抜け止められ、閉塞蓋２により管体１の開口部が閉塞される。
【００６３】
従って、閉塞蓋２に止め輪５と内方側シール部材６とを被嵌してこれらを同時に管体１内に挿入するだけで閉塞蓋２を管体１に取り付けて開口部を閉塞することができるから、それだけ部品点数を削減してハンドリング性（手扱い性）を向上させることができる。更に、単に位置決め凸部９が突き当たるまで閉塞部２を管体１内に挿入するだけで確実に閉塞蓋２を管体１に取り付けることができ、閉塞蓋取り付け時に特殊な取付技能や特殊な工具を必要とすることがない。
【００６４】
また、閉塞蓋２が管体１に止め輪５により抜け止め固定され、ユーザーが容易に取り外せない態様となるため、管体１の内部部品の交換等が必要となった際には、製造者に交換を依頼するか、内部部品だけでなく管体１及び閉塞蓋２も含めた全体を交換することで対応することになる。そのため、ユーザーによる閉塞蓋２の誤った手法による取り外し及び取り付け等を防止でき、常に設計者の意図した環境で使用することが可能となる。
【００６５】
また、閉塞蓋２に被嵌される内方側シール部材６は、管体側嵌合溝４を乗り越えて管体側嵌合溝４の管体内方側へと移動することになるが、管体側嵌合溝４の管体内方側の角部８をテーパ形状とすることで、この角部８に内方側シール部材６が引っ掛かり難くなり、内方側シール部材６をスムーズに管体側嵌合溝４を乗り越えさせて管体側嵌合溝４の管体内方側へと移動させることができる。
【００６６】
従って、内方側シール部材６が管体側嵌合溝４の角部８に引っ掛かり破損したり捩れたりすることが防止され、内方側シール部材６の破損等が原因による内圧漏れを防止でき、更に、閉塞蓋２の挿入が容易となり、内方側シール部材６を適正位置に確実に配置することが可能となる。
【００６７】
また、管体１をエポキシ樹脂を所定量含有させたヘリカル層で構成することで、耐圧性及び耐久性に秀れた容器となる。
【００６８】
よって、本実施例は、シール部材及び止め輪を被嵌した閉塞蓋を管体内に挿入するだけで簡単に閉塞蓋を取り付けることができ、しかも、シール部材を取り付け時に破損等させることなく確実に適正位置に配置できる実用性に秀れたものとなる。
【符号の説明】
【００６９】
１  管体
２  閉塞蓋
３  蓋側嵌合溝
４  管体側嵌合溝
５  止め輪
６  内方側シール部材
７  内方側シール部材配設溝
８  角部
９  位置決め凸部
10  外方側シール部材
11  外方側シール部材配設溝
【図１】
0006401731.tif 000002
【図２】
0006401731.tif 000003
【図３】
0006401731.tif 000004
【図４】
0006401731.tif 000005
【図５】
0006401731.tif 000006
【図６】
0006401731.tif 000007
【図７】
0006401731.tif 000008